(57)【特許請求の範囲】
【請求項１】
ブリッジを備えた弦楽器を加振するための装置であって、
前記ブリッジに当接するべき作用点部を備えたベース部材と、
前記ベース部材に取り付けられた、電気信号を機械振動に変換する振動発生器とを含み、
前記ベース部材が、前記弦楽器の少なくとも１本の弦の上面に係合する支点部と、前記作用点部と前記支点部との中間位置で前記少なくとも１本の弦の下面に係合する力点部と、前記作用点部を前記ブリッジに向けて付勢する向きに、前記支点部及び前記力点部の少なくとも一方を変位させるための手段とを有することを特徴とする装置。
【請求項２】
前記作用点部、前記力点部及び前記支点部が、前記弦の延在方向に沿って配置されていることを特徴とする請求項１に記載の装置。
【請求項３】
前記力点部を上方に引き上げるためのカム機構が、前記ベース部材に設けられていることを特徴とする請求項１若しくは請求項２に記載の装置。
【請求項４】
前記振動発生器及び前記作用点部が前記ベース部材の一端に設けられ、前記支点部が前記ベース部材の他端に設けられたことを特徴とする請求項１〜３のいずれか一項に記載の装置。
【請求項５】
前記力点部が、前記作用点部及び前記支点部の両中心部を結ぶ軸線に対して直交する方向に延在する、少なくとも２本の弦に係合する棒部材をなすことを特徴とする請求項１〜４のいずれか一項に記載の装置。
【請求項６】
前記支点部が、前記作用点部及び前記支点部の両中心部を結ぶ軸線に対して直交する方向に延在する、少なくとも２本の弦に係合する棒部材をなすことを特徴とする請求項１〜５のいずれか一項に記載の装置。
【請求項７】
前記ベース部材が、更に前記ブリッジに対して、前記支点部の方向から前記弦の延在方向に沿って衝当するべく前記作用点部の近傍に設けられた位置決め部を含むことを特徴とする請求項１〜６のいずれか一項に記載の装置。
【請求項８】
前記作用点部が唯１つの突部からなることを特徴とする請求項１〜７のいずれか一項に記載の装置。
【請求項９】
前記作用点部が２つの突部からなることを特徴とする請求項１〜７のいずれか一項に記載の装置。
【請求項１０】
前記振動発生器が、前記作用点部及び前記支点部の両中心部を結ぶ軸線に対して線対称に配置された高音用振動発生器及び低音用振動発生器からなる２つの振動発生器を含むことを特徴とする請求項１〜７のいずれか一項に記載の装置。
【請求項１１】
前記ベース部材が２股に分岐した部分を含み、該両分岐部分に、それぞれ前記高音用振動発生器及び前記低音用振動発生器が配置され、かつ前記両分岐部分のそれぞれに前記作用点部が配置されていることを特徴とする請求項１０に記載の装置。
【請求項１２】
前記振動発生器は機械振動を外部に伝達する振動伝達部材を含み、前記振動伝達部材と前記ベース部材との間に、前記振動伝達部材と前記ベース部材とを振動絶縁する第１の振動絶縁部材が設けられていることを特徴とする請求項１〜１１のいずれか一項に記載の装置。
【請求項１３】
前記ベース部材と前記支点部との間には前記ベース部材と前記支点部とを振動絶縁する第２の振動絶縁部材が設けられ、前記ベース部材と前記力点部との間に、前記ベース部材と前記力点部とを振動絶縁する第３の振動絶縁部材が設けられていることを特徴とする請求項１〜１２のいずれか一項に記載の装置。
【発明の詳細な説明】
【技術分野】
【０００１】
本発明は、弦楽器を加振するための装置に関し、特に弦楽器をスピーカとして利用可能とする用途に適する弦楽器の加振装置に関する。
【背景技術】
【０００２】
楽器を自動演奏するための様々な装置が提案されている。オルゴールはその古典的なものであり、近年電子的に記録された楽譜データに基づき自動演奏する形式の自動ピアノが広く普及している。弦楽器を自動演奏する試みもなされているが、弦を弾くためにはロボットのような複雑な機構が必要であり、容易に実用化できないのが現状である。【０００３】
その一方、弦楽器をシーズニング、エージングすることが知られている。弦楽器を長期間に亘って使用しないと、所期の音色を発することができなくなると考えられ、弦楽器を良好な状態を維持するためには、所定の頻度で弦楽器を演奏することが行われており、これがシーズニング、と呼ばれている。製造したばかりの弦楽器でも、やはり所期の音色を発することができず、或る時間に渡って弦楽器を演奏し、十分なエージングがなされた後に、弦楽器を購入する者に引き渡すことが行われている。時として、シーズニング、エージングが煩雑であることから、弦楽器の弦を特別な動力加振機により振動させ、シーズニング、エージングと同様な効果を得ることが提案されている。【０００４】
例えば、特許文献１には、バイオリンのブリッジに取り外し可能に取り付けられるブリッジクレードルを介して振動発生器をバイオリンに取り付け、それによりバイオリンを加振する構成が開示されている。また、振動発生器を、ギターの胴板と弦との間に挟み付けることによりギターを加振するための構成も開示されている。しかしながら、振動発生器と楽器との間の結合力が弱いため、低パワーの加振が可能であるものの、弦楽器をスピーカとして利用し得るような高パワーの加振を行った場合には、振動発生器がビビリ振動を起こすことにより、良好な鳴動が期待できず、しかも使用中に振動発生器が脱落する惧れすらある。【０００５】
そこで、弦楽器自体を加工することにより、振動発生器を弦楽器に強固に固定することが考えられるが、そのために弦楽器が本来の楽器としての状態が損われるため、所期の音色を発することができなくなったり、外観が害されるため、楽器としての価値が失われることとなる。【０００６】
特許文献２では、バイオリン自体を加工することにより、バイオリンをスピーカとして利用することが提案されているが、バイオリンの胴の内部に加振機を組み込むもので、バイオリンの製造時に行う必要があり、事実上通常のバイオリンとして扱うことはできない。また、既存のバイオリンを改造して、加振機を組み込むもことも考えられるが、高価なバイオリンにこのような改造を行うことは多くの場合、受け入れられない。
【先行技術文献】
【特許文献】
【０００７】
【特許文献１】日本国特許庁公表特許公報２００９−５０５１３７号
【特許文献２】日本国特許庁公表特許公報２０１１−３５８５１号
【発明の概要】
【発明が解決しようとする課題】
【０００８】
このような従来技術の問題点に鑑み、本発明の主な目的は、弦楽器をスピーカとして利用可能とするための弦楽器の加振装置を提供することにある。【０００９】
本発明の第２の目的は、弦楽器をスピーカとして利用可能とするために、弦楽器に大幅な或いは永久的な加工を加えることを要することなく、弦楽器に強固に取り付け得るような弦楽器の加振装置を提供することにある。
【課題を解決するための手段】
【００１０】
このような課題は、ブリッジ（１３）を備えた弦楽器（１）を加振するための装置（２０、１００）であって、前記ブリッジ（１３）に当接するべき作用点部（２４、１５６）を備えたベース部材（２２、１０２）と、前記ベース部材（２２、１０２）に取り付けられた、電気信号を機械振動に変換する振動発生器（５０、１４０）とを含み、前記ベース部材（２２、１０２）が、前記弦楽器（１）の少なくとも１本の弦（９）の上面に係合する支点部（３０、１２０）と、前記作用点部（２４、１５６）と前記支点部（３０、１２０）との中間位置で前記少なくとも１本の弦９の下面に係合する力点部（３８、１３０）と、前記支点部（３０、１２０）及び前記力点部（３８、１３０）の少なくとも一方を、前記作用点部（２４、１５６）を前記ブリッジ（１３）に向けて付勢する向きに変位させるための手段（４０、１３２）とを有することを特徴とする装置を提供することにより達成される。【００１１】
このようにすることにより、加振装置（２０、１００）は、支点部（３０、１２０）及び力点部（３８、１３０）に於いて弦（９）に係合し、作用点部（２４、１５６）に於いてブリッジ（１３）に係合することとなり、弦楽器（１）の胴板などの破損し易い部分を避け、高強度の部分のみに係合することとなり、作用点部（２４、１５６）をブリッジ（１３）に対して十分に強い力で押し付けることが可能となり、弦楽器を大音量かつ高音質で鳴動させることが可能となる。ブリッジ（１３）とは、弦（９）の端末を規定する、胴板等に固着された部材を指す。ブリッジ（１３）は、駒とも呼ばれることがあり、楽器によってはその呼称が相違する場合がある。そこで、特許請求の範囲及び発明の詳細な説明の記載に於いては、「ブリッジ」なる用語は、弦の有効な端末を規定するための部材を広く意味するものと合目的的に解釈されるものとする。【００１２】
ここでは、前記作用点部（２４、１５６）、前記力点部（３８、１３０）及び前記支点部（３０、１２０）が、前記弦（９）の延在方向に沿って配置されているものであってよい。通常は、前記振動発生器（５０、１４０）及び前記作用点部（２４、１５６）が前記ベース部材（２２、１０２）の一端に設けられ、前記支点部（３０、１２０）が前記ベース部材（２２、１０２）の他端に設けられる。前記力点部（３８、１３０）を上方に引き上げるためのカム機構が、前記ベース部材（２２、１０２）に設けられているものとすることにより、簡単な構成で、作用点部（２４、１５６）をブリッジ（１３）に対して押し付けることができる。【００１３】
前記作用点部（２４、１５６）は、唯１つの突部或いは例えば中心に対して左右対称に設けられた２つの突部からなるものであって良い。いずれの場合に於いても、対象となる楽器のブリッジ（１３）の形状に応じて、加振装置（２０、１００）を楽器に対して安定に支持することができる。【００１４】
前記力点部（３８、１３０）が、前記作用点部（２４、１５６）及び前記支点部（３０、１２０）の両中心部を結ぶ軸線に対して直交する方向に延在する、少なくとも２本の弦（９）に係合する棒部材或いはフック状をなすものであるとよい。この棒部材は、楽器に対して近接離反する方向に変位可能に支持されているとよい。一方、前記支点部（３０、１２０）が、前記作用点部（２４、１５６）及び前記支点部（３０、１２０）の両中心部を結ぶ軸線に対して直交する方向に延在する、少なくとも２本の弦（９）に係合する棒部材をなすものであると良い。【００１５】
前記ベース部材（２２）が、更に前記ブリッジ（１３）に対して、前記支点部（３０）の方向から前記弦（９）の延在方向に沿って衝当するべき前記作用点部（２４）の近傍に設けられた位置決め部（２８）を含むものとすれば、加振装置（２０）を弦（９）に沿って摺動させることにより、加振装置（２０）の軸線方向の位置決めを容易かつ正確に行うことができる。【００１６】
広い音域に渡る音の再生を可能とするためには、前記振動発生器が、前記作用点部（２４）及び前記支点部（３０）の両中心部を結ぶ軸線の両側に配置された高音用振動発生器及び低音用振動発生器からなる２つの振動発生器（５０Ａ、５０Ｂ）を含むものであるとよい。【００１７】
そのような場合には、前記ベース部材（２２）が２股に分岐した部分（２２Ａ、２２Ｂ）を含み、該両分岐部分（２２Ａ、２２Ｂ）に、それぞれ前記高音用振動発生器（５０Ａ）及び前記低音用振動発生器（５０Ｂ）が配置され、かつ両分岐部分（２２Ａ、２２Ｂ）のそれぞれに前記作用点部（２４）が配置されているものであるとよい。【００１８】
更に、前記振動発生器（１４０）の振動伝達部材（１５２）と前記ベース部材（１０２）との間に、前記振動伝達部材（１５２）と前記ベース部材（１０２）とを振動絶縁する第１の振動絶縁部材（１０８）が設けられていてよい。【００１９】
この場合、振動伝達部材（１５２は、第１の振動絶縁部材（１０８）によって振動絶縁状態でベース部材（１０２）に取り付けられていることになり、振動伝達部材（１５２）の機械振動がベース部材（１０２）に伝わることが抑制される。これにより、振動伝達部材（１５２）の機械振動がベース部材（１０２）を経由して支点部（１２０）、力点部（１３０）によって弦（９）に伝わることが抑制され、響鳴胴（５）の鳴動において、高音質の音、特に、高音域においてノイズ成分がない澄んだ音が得られる。【００２０】
更に、前記ベース部材（１０２）と前記支点部（１２０）との間には、前記ベース部材（１０２）と前記支点部（１２０）とを振動絶縁する第２の振動絶縁部材（１１６）が、前記ベース部材（１０２）と前記力点部（１３０）との間には、前記ベース部材（１０２）と前記力点部（１３０）とを振動絶縁する第３の振動絶縁部材（１２６）が各々設けられていてよい。【００２１】
この場合には、振動伝達部材（１５２）の機械振動がベース部材（１０２）を経由して支点部（１２０）及び第２の当接部材（１３０）に伝わり難くなり、響鳴胴（５）の鳴動において更に高音質の音が得られる。
【発明の効果】
【００２２】
このように本発明によれば、弦楽器に対して永久的な加工を行うことなく、弦楽器を大音量かつ高音質で鳴動させることを可能とし、弦楽器をスピーカとして好適に利用可能とするのに適する弦楽器の加振装置が提供される。
【図面の簡単な説明】
【００２３】
【図１】ギターに適用された本発明に基づく弦楽器の加振装置の第１の実施形態を示す斜視図である。
【図２】第１の実施形態の正面図である。
【図３】第１の実施形態の背面図である。
【図４】第１の実施形態の側面図である。
【図５】第１の実施形態の端面図である。
【図６】第１の実施形態に於ける振動発生器の縦断面図である。
【図７】図６に示した振動発生器に用いられているばね部材を示す正面図である。
【図８】第１の実施形態の作動の要領を示す図４と同様の図である。
【図９】本発明に基づく弦楽器の加振装置の第２の実施形態を示す図４と同様の図である。
【図１０】本発明に基づく弦楽器の加振装置の第３の実施形態を示す正面図である。
【図１１】本発明の第３の実施形態を示す背面図である。
【図１２】ギターに適用された本発明に基づく弦楽器の加振装置の第４の実施形態を示す斜視図である。
【図１３】第４の実施形態の縦断面図である。
【発明を実施するための形態】
【００２４】
以下、本発明の実施の形態を、図面を参照しながら説明する。以下の説明に於いて、楽器の軸線方向の向きを、その方向に応じて胴側及びヘッド側と呼ぶことにより特定するものとする。また、楽器表面の胴板について、それに向かう方向を下側或いは背側、それから離れる方向を上側或いは表側と呼ぶものとする。また、以下の説明に於いて、ブリッジとは、弦の端末を規定する、胴板等に固着された部材を指す。ブリッジは、サドルや駒とも呼ばれることがあり、楽器によってはその呼称が相違する場合がある。そこで、特許請求の範囲及び発明の詳細な説明の記載に於いては、「ブリッジ」なる用語は、弦の有効な端末を規定するための部材を広く意味するものと合目的的に解釈されるものとする。
【００２５】
図１に示されているように、本発明に基づく弦楽器の加振装置２０が装着されたギター１は表板（胴板）３と不図示の裏板及び側板とによって構成された響鳴胴５を有する。表板３には響穴（サウンドホール）７が形成されている。ギター１は６本の弦９を有している。
【００２６】
表板３には板状のブリッジベース部材１１が接着剤によって固定されている。ブリッジベース部材１１上には弦９の長手方向と直交する方向に延在するブリッジ（サドル）１３が取り付けられている。
【００２７】
各弦９は、ブリッジ１３の上部を通過して一端部をブリッジベース部材１１に取り付けられたブリッジピン１５に係止されている。弦９は、他端部を不図示のヘッド側に設けられている張力調整機構によって張力を与えられることにより、ブリッジ１３の上面に押し付けられ、ブリッジ１３によって有効な端末位置を規定される。
【００２８】
次に、図２〜図５を参照して加振装置２０の第１の実施形態について説明する。加振装置２０は、弦９の延在方向に長い概ね長方形の板状をなすベース部材２２を含む。
【００２９】
ベース部材２２のギター１側を向く下面の一方の長手方向端の中央部には突部をなす作用点部２４を備えた振動伝達部材２６が取り付け又は形成されている。振動伝達部材２６には作用点部２４から僅かに他方の長手方向端に向けてずれた位置に位置決め突部２８が形成されている。位置決め突部２８は作用点部２４よりも僅かに大きい突出高さを有する。位置決め突部２８とは反対側の縁部は取付時のガイド斜面２４Ａになっている。
【００３０】
ベース部材２２のギター１側を向く下面の他方の長手方向端には弦９の延在方向と直交する向きに延在する棒状の支点部材３０が取り付け又は形成されている。支点部材３０の下面にはベース部材２２の長手方向に沿って延在する多数の溝３０Ａが形成されている。溝３０Ａは使用時に支点部材３０と弦９との間の滑りを回避する。支点部材３０の左右中央部には突部３２が形成されている。突部３２は、加振装置２０をギター１に装着する際に中央の２本の弦９の間に嵌り込むことにより、加振装置２０を弦９の延在方向に沿う方向に装着する際のガイド部をなす。
【００３１】
ベース部材２２の長手方向の中間位置の中央にはベース部材２２を板厚方向（上下方向）に貫通する支持孔３４が形成されている。支持孔３４には支持部材３６が回転可能に且つ上下方向に摺動自在に挿入されている。支持部材３６の下端部はベース部材２２より下方に突出しており、当該突出端に力点部材３８が取り付けられている。力点部材３８は、振動伝達部材２６（作用点部２４）と支点部材３０との間にあって弦９の延在方向と直交する向きに延在する棒状をなしている。力点部材３８の上面には、支点部材３０の下面と同様に、ベース部材２２の長手方向に沿って延在する多数の軸線方向溝３８Ａ（図１参照）が形成されている。
【００３２】
ベース部材２２上にはレバーカム４０が配置されている。レバーカム４０は、後述する枢支ピン４２を配置された隅部から互いに直角方向に延出するアーム部４０Ａとカム部４０Ｂとを有したＬ字形をしている。カム部４０Ｂには、その遊端から隅部を貫通するまで延在するすり割り４０Ｃが形成されている。すり割り４０Ｃには支持部材３６の上端部が挿入されており、枢支ピン４２がすり割り４０Ｃを横切ってレバーカム４０の隅部及び支持部材３６の上端部に挿通されることにより、レバーカム４０が支持部材３６に対して枢支ピン４２を中心として回動可能に連結されている。
【００３３】
支持部材３６より支点部材３０の側に隣接する位置には、ベース部材２２の上面より上方に突出した拡頭ピン４４が設けられている。レバーカム４０の枢支ピン１９を中心としてた回動は、拡頭ピン４４がすり割り４０Ｃに受容されることによって許容され、拡頭ピン４４の拡頭部４４Ａがアーム部４０Ａあるいはカム部４０Ｂに当接することにより、回動可能範囲を規定される。
【００３４】
このような支持構造において、力点部材３８は、図４に示されているように、レバーカム４０のアーム部４０Ａが横倒した回動位置にある状態では、カム部４０Ｂが起立することにより、引き上げられた上昇位置に位置し、アーム部４０Ａが起立した回動位置にある状態（図８Ａ参照）では、カム部４０Ｂが横転することにより、押し下げられた降下位置に位置する。
【００３５】
なお、本実施形態では、カム部４０Ｂの遊端は平坦に形成されているが、カム部４０Ｂの作動に適する範囲内で他の形状とすることもできる。
【００３６】
ベース部材２２のギター１から離反する側の上面の一方の長手方向端には、振動発生器５０が取り付けられている。振動発生器５０は、図６に示されているように、円柱形の永久磁石５２と、永久磁石５２の一方の軸線方向端に結合された部分から、その他方の軸線方向端の外周に対して磁気ギャップ５４を形成して対峙する部分に至るヨーク部材５６と、ばね部材５８によって磁気ギャップ５４内に位置するようにヨーク部材５６に支持されたボイスコイル６０とを含む。ボイスコイル６０には、出力端としての樹脂製のディスク６２が固定されている。実際には、ヨーク部材５６の外周は適宜ケース部材により覆われるが、図示省略した。
【００３７】
ばね部材５８は、図７に示されているように、平坦な板ばねを所定の形状に切り抜いたものであり、中心のディスク６２に固定される内側円環部分５８Ａと、内側円環部分５８Ａと同心円上に配置されてヨーク部材５６側に固定される外側円環部分５８Ｂと、両円環部分５８Ａ、５８Ｂ間にて同心円上に配置された２つの中間円環部分５８Ｃと、順次９０度の角度差をもって直径方向に延在して隣り合う円環部分５５Ａ、５８Ｂ、５８Ｃ同士を互いに結合する複数個のブリッジ部５８Ｄとを一体に有する。
【００３８】
振動発生器５０は、ボイスコイル６０に音響信号に対応する電流を供給されることにより、ボイスコイル６０によってディスク６２が振動する。これにより、ディスク６２に直接または間接的に取り付けられた対象、本実施形態では振動伝達部材２６を加振することができる。
【００３９】
次に、加振装置２０の使用要領を、図８を参照して説明する。
【００４０】
図８（Ａ）に示されているように、レバーカム４０のアーム部４０Ａを持ち上げることにより、支持部材３６をベース部材２２より下方に最大限突出した状態とする。次に、ベース部材２２を弦９に対して直交する向きに適宜回動させる等して、棒状の力点部材３８を中央の隣接する弦９の間の空隙から弦９の下側の位置に挿入する。次に、振動伝達部材２６を弦９の上面に沿って、ブリッジ１３の方向に摺動させると、位置決め突部２８がブリッジ１３に衝当する。その時、振動伝達部材２６が弦９により良好にガイドされ、振動伝達部材２６の作用点部２４がブリッジ１３に達するとき、作用点部２４の後縁に設けられたガイド斜面２４Ａに沿って作用点部２４が円滑にブリッジ１３に乗り上げることができる。このように、作用点部２４がブリッジ１３の上面に正しく当接するように位置決め突部２８と作用点部２４との相対位置が定められている。
【００４１】
この状態で、図８（Ｂ）に示されているように、レバーカム４０のアーム部４０Ａを押し下げると、レバーカム４０のカム部４０Ｂとベース部材２２の対応部分との間のカム作用により、支持部材３６と共に力点部材３８が上昇移動する。この移動により力点部材３８が弦９の下面に押し付けられることとなる。これにより、支点部材３０と弦９との当接点を支点、力点部材３８と弦９との当接点を力点、作用点部２４と弦９との当接点を作用点して、ベース部材２２が第３種の梃子をなし、支点部材３０がブリッジ１３の上面に押し付けられることになる。この時、弦９の弾発力に抗して力点部材３８が強く弦９の下面に押し付けられるものとすれば、支点部材３０を介して振動伝達部材２６の作用点部２４がブリッジ１３に対して強く押し付けられることとなる。
【００４２】
この押し付け力は、レバーカム４０の寸法或いは形状を適宜定めることにより自由に設定することができる。また、加振装置２０が取り付けられた楽器の弦の張りの強弱によってもこの押付け力を調節することができる。支点部材３０及び力点部材３８に設けられた溝３０Ａ、３８Ａは、それぞれ、支点部材３０或いは力点部材３８に対して弦９が横方向に滑るのを防止する機能を果たし、加振装置２０を弦楽器上に安定に支持することに寄与する。支点部材３０或いは力点部材３８に設けられた溝３０Ａ、３８Ａに代えて或いはそれに加えて、支点部材３０或いは力点部材３８の表面にゴム状材料の層を設けることにより、同部分と弦９との間の摩擦係合力を増大させることができる。
【００４３】
この時、振動伝達部材２６の中央に設けられた唯１つの作用点部２４がブリッジ１３により支持され、力点部材３８が複数の弦９により支持されることとなり、加振装置２０は支点部材３０を加えて計３点でギター１により安定に支持されることとなる。これにより、加振装置２０の取り付けのためにギター１に改良を加えることなく、加振装置２０が振動に対して強い取付強度をもってギター１に取り付けられることになる。また、加振装置２０は、支点部材３０及び力点部材３８に於いて弦９に係合し、作用点部２４に於いてブリッジ１３に係合するから、ギター１の胴板などの破損し易い部分を避け、高強度の部分のみに係合することとなる。
【００４４】
この状態で、振動発生器５０を駆動すると、発生した加振力がブリッジ１３を介して表板３に伝達され、表板３の振動及び又は響鳴胴５内の空気振動を介して、振動発生器２３から入力された加振エネルギを、高い効率をもって音響エネルギに変換することができる。
【００４５】
加振装置２０に加えられる信号は、通常のＣＤ、放送などから得られる音源或いはマイクロフォンにより生演奏から得られる音源であってよい。また、弦楽器の胴、ブリッジ等の弦楽器本体に振動ピックアップを取り付けることにより得られた音源を用いれば、弦楽器から発せられた音を忠実に再現することができる。更に、複数の同一種の楽器及び又は複数種の楽器に加振装置２０を取り付けることにより重厚な音色を発生することが可能である。
【００４６】
発明者が行った実験によれば、本発明の装置をギターに装着した場合、ギターによる音曲ばかりでなく、ギターと同様の音色及び又は音域の楽器による音曲を特に好適に再生することができることが見出された。その一方、比較的小型の楽器に本発明の装置を装着した場合でも、同程度の大きさのボックスを備えたスピーカにも増した音域幅かつ大音量の鳴動が可能であることが確認された。
【００４７】
図９は本発明の第２の実施形態を示す。図９に於いては、前記実施形態に対応する部分には同様の符号を付し、その詳しい説明を省略する。
【００４８】
本実施形態では、振動伝達部材２６には、ブリッジ１３に当接するべき作用点部２４としての突部が２つ設けられている。この場合、振動伝達部材２６に設けられた２つの作用点部２４がブリッジ１３により支持されることとなる。作用点部２４が２つ設けられている場合には、力点部材３８が中央のいずれか１本の弦９のみにより支持されるようにしても、加振装置２０はギター１により安定に支持されることとなる。
【００４９】
図１１及び図１２は本発明の第３の実施形態を示す。図１１及び図１２に於いては、前記実施形態に対応する部分には同様の符号を付し、その詳しい説明を省略する。
【００５０】
本実施形態では、ベース部材２２の一方の長手方向端が２つの分岐部２２Ａ、２２Ｂに分岐しており、分岐部２２Ａと２２Ｂとに振動発生器５０Ａと５０Ｂとが取り付けられている。振動発生器５０Ａは高音域用の振動発生器であり、振動発生器５０Ｂは低音域用の振動発生器である。両振動発生器５０Ａ、５０Ｂは図６及び図７に示されたものと同様のものからなり、高音域用の振動発生器５０Ａのばね部材５８は、低音域用の振動発生器５０Ｂのものよりも高い剛性を有するものからなる。
【００５１】
ベース部材２２の両振動発生器５０Ａ、５０Ｂに対応する位置の裏面には、左右方向に延在する振動伝達部材２６が取り付けられており、振動伝達部材２６には、当該振動伝達部材２６が両振動発生器５０Ａ、５０Ｂの各々の略中心位置に対応する部分に、それぞれブリッジ１３に当接するべき作用点部２４としての突部が１つずつ設けられている。振動伝達部材２６の中央部分がゴム状の変形容易な部材により形成されることにより、両分岐部２２Ａ、２２Ｂが、特に弦楽器に対して近接離反する方向に比較的抵抗を受けることなく、互いに自由に振動し得るようにされている。
【００５２】
本実施形態によれば、広い音域に渡って弦楽器を加振することができ、合奏曲等のような音域の広い楽曲を好適に再生することができる。
【００５３】
なお、本実施形態に於いては、振動伝達部材２６が両分岐部２２Ａと２２Ｂに亘って延在しているが、振動伝達部材２６をそれぞれの分岐部２２Ａ、２２Ｂ毎に互いに分離して設け、それぞれの振動伝達部材２６に個別の作用点部２４を設けるようにしてもよい。位置決め突部２８については、それぞれの振動伝達部材２６に個別に設けても、唯１つの位置決め突部２８を両振動伝達部材２６のいずれかに設けたり、例えば、ベース部材２２等、振動伝達部材２６以外の部分に設けることもできる。
【００５４】
図１２、図１３は本発明の第４の実施形態を示す。この実施形態の加振装置１００は、図１２に示されているように、第１の実施形態で用いられたギター１と同等のギター１に装着される。
【００５５】
図１３に示されているように、加振装置１００は弦９の延在方向に長い板状をなすアルミニウム製のベース部材１０２を有する。ベース部材１０２の一方の長手方向端には円形の開口１０４が貫通形成されている。
【００５６】
開口１０４には振動発生器１４０が配置されている。振動発生器１４０は、円柱形の永久磁石１４２と、永久磁石１４２の上端部（一方の磁極部）と磁気的に連結された磁性材料製の上端閉の円筒形状のヨーク部材１４４と、支持部材１４６とばね部材１４８とによってヨーク部材１４４に上下方向に変位可能に取り付けられた非磁性材料製の円筒形状のボビン１５０及び円盤板状の振動伝達部材１５２と、ボビン１５０の外周に巻装されたボイスコイル（ムービングコイル）１５４とを有する。
【００５７】
振動伝達部材１５２の中心部には、先端が作用点部１５６をなすように振動伝達部材１５２の底部より下方に突出した突起部１５８が一体形成されている。なお、ばね部材１４８は前述の実施形態のばね部材５８と同等のものであってよい。
【００５８】
ベース部材１０２は、開口１０４の軸線方向（上下方向）の中間部に、開口１０４の内周面より径方向内側に延出した円環状のフランジ部１０６を有する。フランジ部１０６の下面には振動絶縁シート（第１の振動絶縁部材）１０８が接着剤等によって接合されている。振動伝達部材１５２は、外周側を振動絶縁シート１０８に接着剤等によって接合され、且つ中心側を接着剤等によって振動伝達部材１５２の平らな底部下面に接合され支持板１１０によってベース部材１０２により支持されている。換言すると、ベース部材１０２は、振動絶縁シート１０８を介して支持板１１０により、振動伝達部材１５２を支持している。
【００５９】
振動絶縁シート１０８は、スポンジやエーテル系ポリウレタン等によるクッション材により構成され、弾性変形することにより振動伝達部材１５２の機械振動がベース部材１０２に伝わることを低減する振動絶縁部材として作用する。
【００６０】
支持板１１０は、スリット１１０Ａを貫通形成されてばね性を有する金属板やプラスチック板によって構成され、振動発生器１４０の全体をばね性をもってベース部材１０２に取り付けている。
【００６１】
振動発生器１４０はボイスコイル１５４に電気信号（電流）を供給されることにより、ボイスコイル１５４と永久磁石１４２及びヨーク部材１４４との磁気作用によってヨーク部材１４４側を反力部材として、振動伝達部材１５２がばね部材１４８のばね力に抗して上下方向に変位、つまり機械振動する。
【００６２】
支持板１１０は及び振動伝達部材１５２の底部には、上述の機械振動に対して、ボビン１５０の内側空間の空気が圧縮されることによる流体抵抗が生じないように、ボビン１５０の内側空間を外方に開放する空気抜き開口１１０Ｂ、１５２Ａが貫通形成されている。支持板１１０のスリット１１０Ａは開口１０４内の空間を外方に開放する空気抜き開口としても機能する。
【００６３】
開口１０４の上側の開口縁部には、ヨーク部材１４４と干渉することなく開口１０４の上側開口を塞ぐ保護リング部材１１２が取り付けられている。
【００６４】
ベース部材１０２の他方の長手方向端の中央には下方に向けて開口した支持孔１１４が形成されている。支持孔１１４には防振スリーブ（第２の振動絶縁部材）１１６を介して支持棒１１８が嵌挿されている。支持棒１１８の下端はベース部材２２より下方に突出しており、当該突出端に弦９の延在方向と直交する向きに延在する棒状の支点部材１２０が取り付けられている。
【００６５】
防振スリーブ１１６はエーテル系ポリウレタン等によるゴム状弾性を有する防振材により構成されている。支点部材１２０の下面にはゴム板１２２が接着剤等によって接合されている。ゴム板１２２は、使用時に支点部材１２０と弦９との間の滑りを回避すると共に、支点部材１２０と弦９との間の振動絶縁を行う。
【００６６】
ベース部材１０２の長手方向の中間位置の中央にはベース部材１０２を板厚方向（上下方向）に貫通する支持孔１２４が形成されている。支持孔１２４には防振スリーブ（第３の振動絶縁部材）１２６を介して支持軸１２８が回転可能に且つ上下方向に摺動自在に挿入されている。支持軸１２８の下端部はベース部材１０２より下方に突出しており、当該突出端に力点部材１３０が取り付けられている。力点部材１３０は、振動伝達部材１５２（作用点部１５６）と支点部材１２０との間にあって弦９の延在方向と直交する向きに延在する棒状をなしている。
【００６７】
防振スリーブ１２６はエーテル系ポリウレタン等によるゴム状弾性を有する防振材により構成されている。
【００６８】
ベース部材１０２上にはレバーカム１３２が配置されている。レバーカム１３２は、後述する枢支ピン１３４を配置された隅部から互いに直角方向に延出するアーム部１３２Ａとカム部１３２Ｂとを有したＬ字形をしている。カム部１３２Ｂにはすり割り１３２Ｃが形成されている。すり割り１３２Ｃには支持軸１２８の上端部が挿入されており、枢支ピン１３４がすり割り１３２Ｃを横切ってレバーカム１３２の隅部及び支持軸１２８の上端部に挿通されることにより、レバーカム１３２が支持軸１２８に対して枢支ピン１３４を中心として回動可能に連結されている。
【００６９】
力点部材１３０は、図１２に実線によって示されているように、レバーカム１３２のアーム部１３２Ａが横倒した回動位置にある状態では、カム部１３２Ｂが起立することにより、引き上げられた上昇位置に位置し、図１２に仮想線によって示されているように、アーム部１３２Ａが起立した回動位置にある状態では、カム部１３２Ｂが横転することにより、押し下げられた降下位置に位置する。
【００７０】
次に上述の構成による加振装置２０の使用要領について説明する。
【００７１】
図１２に仮想線によって示されているように、レバーカム１３２のアーム部１３２Ａを持ち上げることにより、カム部１３２Ｂを横転させて支持軸１２８をベース部材１０２より下方に降下した状態とする。これにより力点部材１３０は降下位置に位置する。次に、力点部材１３０を弦９の延在方向に沿う向きに適宜回動させる等して、棒状の力点部材１３０を中央の隣接する弦９の間の空隙から弦９の下側の位置に挿入する。その後、力点部材１３０が弦９の直交方向に沿う向きに延在する元の位置に戻し、支点部材１２０のゴム板１２２を弦９上に載せると共に、作用点部１５６をブリッジ１３上の弦９上あるいはブリッジ１３の上部に載せる。
【００７２】
次に、図１２に実線によって示されているように、レバーカム１３２を倒すことより、アーム部１３２Ａを起立させて支持軸１２８を上昇移動させる。これにより、力点部材１３０が上昇位置に位置し、力点部材１３０によって弦９が作用点部１５６との当接部と支点部材１２０との当接部との間において上方に持ち上げられる。
【００７３】
この弦９の持ち上げによって、支点部材１２０と弦９との当接点を支点、力点部材１３０と弦９との当接点を力点、力点部材１３０と弦９との当接点を作用点としてベース部材２２が第３種の梃子をなし、支点部材１２０が弦９の上面に押し付けられると同時に力点部材１３０が弦９の下面に押し付けられることにより、加振装置１００が弦９に懸架された状態で、作用点をなす振動伝達部材１５２の突起部１５８の先端、即ち作用点部１５６がブリッジ１３に対して押し付けられることになる。これにより、加振装置１００の取り付けのためにギター１に改良を加えることなく、加振装置１００が振動に対して強い取付強度をもってギター１に取り付けられることになる。
【００７４】
このように、加振装置１００は、支点部材１２０及び力点部材１３０に於いて弦９に係合し、作用点部１５６に於いてブリッジ１３に対して当接することとなり、ギター１の胴板などの破損し易い部分を避け、高強度の部分のみに係合することとなり、しかも作用点部１５６をブリッジ１３に対して十分に強い力で押し付けることが可能となる。
【００７５】
この状態で、振動発生器１４０のボイスコイル１５４に電気信号を供給し、振動伝達部材１５２を機械振動させると、振動伝達部材１５２の機械振動が突起部１５８によってブリッジ１３に伝達され、表板３等の胴板が振動し、響鳴胴５がスピーカボックスとして作用する。加振装置１００は、振動に対して強い取付強度をもってギター１に取り付けられるので、加振装置１００がギター１に対してびびり振動を起こす等として良好な鳴動が期待できなくなったり、使用中に加振装置１００がギター１より脱落したりする虞がなくなる。
【００７６】
しかも、作用点部１５６がブリッジ１３に対して十分に強い力で押し付けることにより、振動伝達部材１５２より機械振動をブリッジ１３に効率よく伝達することができ、ギター１を大音量かつ高音質で鳴動させることが可能となる。
【００７７】
振動伝達部材１５２は、振動絶縁シート１０８によって振動絶縁状態でベース部材１０２に取り付けられているから、振動伝達部材１５２の機械振動がベース部材１０２に伝わることが抑制される。このことにより、振動伝達部材１５２の機械振動がベース部材１０２を経由して支点部材１２０あるいは力点部材１３０によって弦９が加振されることが抑制される。
【００７８】
これにより、弦９の振動による響鳴胴５の鳴動が実質的に生じなくなり、響鳴胴５は加振装置１００によるブリッジ１３の加振によってのみ鳴動するようになる。このことにより、響鳴胴５の鳴動において、高音質の音、特に、高音域においてノイズ成分がない澄んだ音が得られる。
【００７９】
振動伝達部材１２５の機械振動がベース部材１０２に伝わったとしても、支点部材１２０及び力点部材１３０とベース部材１０２との間に防振スリーブ１１６、１２６が設けられていることにより、ベース部材１０２の機械振動が支点部材１２０及び力点部材１３０に伝わることが抑制される。このことによっても振動伝達部材１５２の機械振動がベース部材１０２を経由して支点部材１２０あるいは力点部材１３０によって弦９が加振される抑制され、加振装置１００による響鳴胴５の鳴動において更に高音質の音が得られる。
【００８０】
このように本実施形態によれば、美的な外観を備えたギターそのものから音を発することができることから、視覚的及び聴覚的に魅力的な雰囲気を醸し出すことができる。
【００８１】
以上、本発明を、その好適実施形態の実施形態について説明したが、当業者であれば容易に理解できるように、本発明はこのような実施形態により限定されるものではなく、本発明の趣旨を逸脱しない範囲で適宜変更可能である。
【００８２】
例えば、上記実施形態では、振動伝達部材２６の作用点部２４をブリッジ１３に向けて付勢するために、カム機構を用いて、力点部材３８を弦９の下面に押し付け得るようにしたが、力点部材３８をベース部材２２に固定し、カム機構等を用いて、支点部材３０を弦９の下面に押し付け得るようにしても、同様に作用点部をブリッジに向けて付勢することができる。
【００８３】
本実施形態では、振動発生器５０、１４０として、ムービングコイル型振動発生器が用いられているが、振動発生器５０、１４０は可動鉄片型やピエゾ型等他の形式のものも等しく適用可能である。また、振動発生器５０、１４０のばね部材５８、１４８はベローズ形式のものであってもよい。
【００８４】
また、本発明が適用される楽器は、ギター或いはバイオリンに限らず、弦及びブリッジに相当する部分を含むあらゆる楽器に適用可能であり、更には本発明を弦楽器のシーズニングやエージングに応用することも可能である。
【００８５】
また、上記実施形態に示した構成要素は必ずしも全てが必須なものではなく、本発明の趣旨を逸脱しない限りにおいて適宜取捨選択することが可能である。
【００８６】
本願のパリ条約に基づく優先権の基礎となる日本特許出願（２０１３年６月１０日出願の特願２０１３−１２１９３６）の開示内容は、ここで参照したことによりその全体が本願明細書に組み込まれる。
【産業上の利用可能性】
【００８７】
このように本発明によれば、美的な外観を備えた弦楽器そのものから音を発することができることから、視覚的及び聴覚的に魅力的な雰囲気を醸し出すことができ、家庭や公共の場で本発明を高い効果をもって実施することができる。
【符号の説明】
【００８８】
１      ギター
３      表板
４      請求項１至
５      響鳴胴
７      響穴
９      弦
１１    ブリッジベース部材
１３    ブリッジ
１５    ブリッジピン
１９    枢支ピン
２０    加振装置
２２    ベース部材
２３    振動発生器
２４    作用点部
２６    振動伝達部材
２８    位置決め突部
３０    支点部材
３２    突部
３４    支持孔
３６    支持部材
３８    力点部材
４０    レバーカム
４２    枢支ピン
４４    拡頭ピン
５０    振動発生器
５２    永久磁石
５４    磁気ギャップ
５６    ヨーク部材
５８    ばね部材
６０    ボイスコイル
６２    ディスク
１００  加振装置
１０２  ベース部材
１０８  振動絶縁シート
１１０  支持板
１１６  防振スリーブ
１１８  支持棒
１２０  支点部材
１２２  ゴム板
１２５  振動伝達部材
１２６  防振スリーブ
１３０  力点部材
１３２  レバーカム
１４０  振動発生器
１４２  永久磁石
１４４  ヨーク部材
１４６  支持部材
１４８  ばね部材
１５０  ボビン
１５２  振動伝達部材
１５４  ボイスコイル
１５６  作用点部
１５８  突起部
【図１】
0005849172.tif 000002
【図２】
0005849172.tif 000003
【図３】
0005849172.tif 000004
【図４】
0005849172.tif 000005
【図５】
0005849172.tif 000006
【図６】
0005849172.tif 000007
【図７】
0005849172.tif 000008
【図８】
0005849172.tif 000009
【図９】
0005849172.tif 000010
【図１０】
0005849172.tif 000011
【図１１】
0005849172.tif 000012
【図１２】
0005849172.tif 000013
【図１３】
0005849172.tif 000014